(57)【要約】【課題】転写シールにおいて、転写シールの情報を転写シール自体に対して簡単に付加及び除去する。【解決手段】転写シール１は、転写紙２と、貼り付け用インク層３と、非貼り付け用インク層４と、透明なニス層６と、接着層７と、透明なセパレータ８とを備える。貼り付け用インク層３及び非貼り付け用インク層４は、転写紙２の同一面上に位置する。ニス層６は、貼り付け用インク層３上及び非貼り付け用インク層４上に位置する。接着層７は、ニス層６の貼り付け用インク層３上の領域と非貼り付け用インク層４上の領域とのうち貼り付け用インク層３上の領域のみにおいてニス層６上に位置する。セパレータ８は、接着層７上と、非貼り付け用インク層４上の領域におけるニス層６上とに位置する。【選択図】図１
0003227788.tif 000002
【実用新案登録請求の範囲】
【請求項１】
転写紙と、
前記転写紙の同一面上に位置する貼り付け用インク層及び非貼り付け用インク層と、
前記貼り付け用インク層上及び前記非貼り付け用インク層上に位置する透明なニス層と、
前記ニス層の前記貼り付け用インク層上の領域と前記ニス層の前記非貼り付け用インク層上の領域とのうち前記貼り付け用インク層上の領域のみにおいて前記ニス層上に位置する接着層と、
前記接着層上と、前記非貼り付け用インク層上の領域における前記ニス層上とに位置する透明なセパレータと、
を備えることを特徴とする転写シール。
【請求項２】
前記貼り付け用インク層上と前記非貼り付け用インク層上とのうち前記貼り付け用インク層上のみにおいて当該貼り付け用インク層と前記ニス層との間に位置するメタリック層を更に備え、
前記非貼り付け用インク層は、前記貼り付け用インク層と絵柄及び色が同一で、前記セパレータ側から見て前記転写シールの貼り付け後の前記貼り付け用インク層の絵柄を表すように前記貼り付け用インク層の絵柄を反転させて形成された絵柄表示層を含む、
ことを特徴とする請求項１記載の転写シール。
【請求項３】
前記絵柄表示層は、前記貼り付け用インク層を縮小した大きさに形成されている、
ことを特徴とする請求項２記載の転写シール。
【考案の詳細な説明】
【技術分野】
【０００１】
本考案は、貼り付け対象に貼り付けられる転写シールに関する。
【背景技術】
【０００２】
従来、人の肌に貼り付けられるタトゥーシールや人の爪に貼り付けられるネイルシールなどの転写シールが知られている。この転写シールは、転写紙上に形成されたインク層、このインク層上に形成されたニス層、このニス層上に形成され貼り付け対象に転写シールを貼り付けるための接着層、この接着層上に貼り付けられたセパレータなどを備える。
【０００３】
転写シールを貼り付け対象に貼り付ける場合には、セパレータを剥離して接着層を貼り付け対象に貼り付け、外側に露出する転写紙の上から水をかけてインク層を転写紙から分離させた後、転写紙を剥離する。これにより、貼り付け対象には、インク層が接着層を介して貼り付けられる。
【０００４】
このような転写シールにおいて、インク層と接着層との間に輝きを有するメタリック層を形成する手法や、転写シールの貼り付け前にメタリック層に隠れてセパレータ側から視認できないインク層の絵柄を表す絵柄表示層を、メタリック層と接着層との間に、或いは転写紙のうちインク層が形成されていない部分上に形成する手法が提案されている（例えば、特許文献１参照）。
【先行技術文献】
【特許文献】
【０００５】
【特許文献１】特開２０１８−０３４４７３号公報
【考案の概要】
【考案が解決しようとする課題】
【０００６】
ところで、上述の転写シールにおいては、転写紙が透明ではないのに対し、セパレータは透明である。そのため、転写シールの貼り付け前の状態では、インク層等を外部から視認可能とするために、セパレータ側が露出する状態で転写シールの販売が行われる。
【０００７】
しかしながら、転写シールの貼り付け後の状態では、インク層はセパレータ側（接着層側）で貼り付け対象に貼り付けられるため、貼り付け前にセパレータ側からインク層を見ると、貼り付け後のインク層とは反転して視認されることになる。
【０００８】
そこで、絵柄表示層をインク層とは反転させてインク層の周囲に設けることも考えられるが、インク層やメタリック層とは重ならない位置に絵柄表示層を設けると、インク層とともに絵柄表示層も貼り付け対象に貼り付けられてしまう。なお、絵柄表示層が形成されている領域のみで接着層を省略することも考えられるが、この場合には、転写シールの貼り付け後に絵柄表示層のインクが粉々に砕け散って貼り付け対象を汚してしまう。
【０００９】
また、セパレータには、上述の絵柄表示層や商品名やマークなどの各種情報を印刷することが困難であるため、転写シールを収容する袋などに転写シールの各種情報を表示した状態で販売が行われることが想定される。この場合、袋などから転写シールが取り出されると、転写シールのみからは各種情報を視認することができなくなる。
【００１０】
本考案の目的は、転写シールの情報を転写シール自体に対して簡単に付加及び除去することができる転写シールを提供することである。
【課題を解決するための手段】
【００１１】
１つの態様では、転写シールは、転写紙と、前記転写紙の同一面上に位置する貼り付け用インク層及び非貼り付け用インク層と、前記貼り付け用インク層及び前記非貼り付け用インク層上に位置する透明なニス層と、前記ニス層の前記貼り付け用インク層上の領域と前記ニス層の前記非貼り付け用インク層上の領域とのうち前記貼り付け用インク層上の領域のみにおいて前記ニス層上に位置する接着層と、前記接着層上と、前記非貼り付け用インク層上の領域における前記ニス層上とに位置する透明なセパレータと、を備える。
【考案の効果】
【００１２】
前記態様によれば、転写シールの情報を転写シール自体に対して簡単に付加及び除去することができる。
【図面の簡単な説明】
【００１３】
【図１】一実施の形態に係る転写シールを示す断面図である。
【図２】一実施の形態に係る、貼り付け対象に貼り付けられる前の状態の転写シールを、セパレータ側から見た平面図である。
【図３】一実施の形態に係る転写シールの貼り付け対象への貼り付けを説明するための断面図（その１）である。
【図４】一実施の形態に係る転写シールの貼り付け対象への貼り付けを説明するための断面図（その２）である。
【図５】一実施の形態に係る転写シールの製造方法を説明するためのフローチャートである。
【考案を実施するための形態】
【００１４】
以下、本考案の一実施の形態に係る転写シールについて、図面を参照しながら説明する。
【００１５】
図１は、一実施の形態に係る転写シール１を示す断面図である。
【００１６】
図２は、貼り付け対象１００に貼り付けられる前の状態の転写シール１を、セパレータ８側から見た平面図である。
【００１７】
図３及び図４は、転写シール１の貼り付け対象１００への貼り付けを説明するための断面図である。
【００１８】
図５は、転写シール１の製造方法を説明するためのフローチャートである。
【００１９】
図１に示す転写シール１は、転写紙２と、貼り付け用インク層３と、非貼り付け用インク層４と、メタリック層５と、ニス層６と、接着層７と、セパレータ８と、を備える。
【００２０】
転写紙２は、後述する図３及び図４に示すように接着層７が貼り付け対象１００に貼り付けられた状態で、水を掛けられることで貼り付け用インク層３及び非貼り付け用インク層４を転写紙２から分離可能な材料であればよく、公知の転写紙を利用可能である。
【００２１】
貼り付け用インク層３及び非貼り付け用インク層４は、転写紙２の同一面上に例えばオフセット印刷により形成される（図５のステップＳ１）。なお、本明細書において、転写紙２等の部材の「上に形成する」と記載する場合、その部材よりも上（セパレータ８側である貼り付け対象１００側）に形成するのであれば、他の層が間に介在していてもよい。
【００２２】
貼り付け用インク層３は、例えば、カラー印刷により形成され、透明色（白、黒などは不透明色）を呈する。但し、貼り付け用インク層３は、例えば、一部に白や黒の不透明色を使うこともできるため、色彩は限定されない。図２の例では、貼り付け用インク層３は、人魚の絵柄を表す。この人魚の絵柄は、図２ではセパレータ側から見たものであるため右向きであるが、転写シール１が図３及び図４に示すように貼り付け対象１００に貼り付けられた状態では、転写紙２側から見たものとなるため、左向きとなる。このように、貼り付け用インク層３は、貼り付け前にセパレータ８側から見た場合と、貼り付け後に見た場合とでは左右に又は前後（図２における上下）に反転する。
【００２３】
非貼り付け用インク層４は、図２に示すように、貼り付け用インク層３と絵柄及び色が同一で、セパレータ８側から見て転写シール１の貼り付け後の貼り付け用インク層３の絵柄（左向きの人魚）を表すように貼り付け用インク層３の絵柄を反転させて左向きの人魚の絵柄となるように形成された絵柄表示層（転写シール１の情報の一例）を含むとよい。この絵柄表示層（非貼り付け用インク層４）は、貼り付け用インク層３の周囲に形成されるため、貼り付け用インク層３を縮小した大きさに形成されているとよい。また、絵柄表示層を形成するのは、貼り付け前の転写シール１において、セパレータ８側からは貼り付け用インク層３が後述するメタリック層５に隠れて見えないため、貼り付け用インク層３の絵柄及び色（並びに向き）を貼り付け前に視認可能とするためである。
【００２４】
或いは、非貼り付け用インク層４は、転写シール１の情報の他の一例として、転写シール１の商品名やマークなどの情報を表す文字や絵柄などを、絵柄表示層とともに又は絵柄表示層に代えて含むものであってもよい。
【００２５】
なお、貼り付け用インク層３及び非貼り付け用インク層４の形成は、オフセット印刷、インクジェット印刷等の任意の方法で行えばよい。また、例えば、貼り付け用インク層３がオフセット印刷により形成され、非貼り付け用インク層４がインクジェット印刷により形成された場合、同一色を再現しようとしても厳密には色彩が異なるともいえるが、このような色彩の違いがあっても同一色であるものとする。
【００２６】
メタリック層５は、貼り付け用インク層３上と非貼り付け用インク層４上とのうち貼り付け用インク層３上のみに形成される（ステップＳ２）。図１の例では、メタリック層５は、貼り付け用インク層３と同一の大きさで貼り付け用インク層３を覆うように形成されるが、貼り付け用インク層３上の一部のみに形成されてもよいし、或いは、貼り付け用インク層３が形成されていない部分の転写紙２上にも形成されていてもよい。
【００２７】
また、メタリック層５は、貼り付け用インク層３に圧着するための圧着用接着剤を有する箔であることが、所望の色合いの再現性を高めるという観点で望ましい。ホットスタンプの手法により箔を形成する場合は、従来、貼り付け用インク層３上に形成されることが圧着性の観点で困難であったが、密着性の良い箔を適宜選択し、それを使用することにより所望の色合いの再現性を高めることが可能となった。加えて、箔をインラインホイラーで形成することも可能である。
【００２８】
メタリック層５の色は、少なくとも底面（貼り付け用インク層３側の面）において、銀色、金色等のメタリック色を呈し、輝きを有することが望ましい。一例ではあるが、メタリック層５が箔である場合、アルミ蒸着により形成された蒸着層を含むとよい。なお、メタリック層５は、箔ではなく、銀色、金色等のメタリック色の印刷を行うことにより形成される層であってもよい。
【００２９】
ニス層６は、後述する接着層７のはみ出しを防止する観点、及び貼り付け用インク層３（メタリック層５）や非貼り付け用インク層４の絵柄を固定する観点で、接着層７と同一以上の大きさとなるようにメタリック層５上（貼り付け用インク層３上）及び非貼り付け用インク層４上に形成される（ステップＳ３）。この際、ニス層６は、メタリック層５上（貼り付け用インク層３上）と非貼り付け用インク層４上とに分離して形成されるとよい。ニス層６は、透明であり、例えばスクリーン印刷によって形成される。接着層７のはみ出しを確実に防止する観点では、ニス層６は、接着層７よりも大きく、且つ接着層７の底面の全面に接するように形成されることが望ましい。また、貼り付け用インク層３及び非貼り付け用インク層４の絵柄を確実に固定する観点では、ニス層６は、貼り付け用インク層３の全体を覆う大きさに設けられることや非貼り付け用インク層４の全体を覆う大きさに設けられることが望ましい。なお、図１においてセパレータ８とニス層６との間に大きな隙間があるように図示されているが、メタリック層５及び接着層７の厚さは薄いため、実際にはセパレータ８とニス層６との間の隙間は大きくない。
【００３０】
接着層７は、ニス層６の貼り付け用インク層３上の領域とニス層６の非貼り付け用インク層４上の領域とのうち貼り付け用インク層３上の領域のみにおいてニス層６上に例えばスクリーン印刷によって形成される（ステップＳ４）。接着層７は、ニス層６、セパレータ８、及び図３に示す貼り付け対象１００に貼り付け可能なものであればよいが、貼り付け対象１００が人の肌であり、転写シール１がタトゥーシールとして用いられる場合には、汗によって剥がれないように耐水性に優れ、皮膚への刺激が低いことが望ましい。なお、接着層７も例えば透明である。
【００３１】
セパレータ８は、例えば人の手によって、接着層７上と、非貼り付け用インク層４上の領域におけるニス層６上とに位置するように、接着層７に貼り付けられる（ステップＳ５）。セパレータ８も、ニス層６と同様に接着層７のはみ出しを防止するために接着層７と同一以上の大きさであることが望ましい。また、セパレータ８は、貼り付け対象１００への貼り付け前の非貼り付け用インク層４を視認可能にする観点で、ニス層６と同様に透明である。
【００３２】
図１に示す転写シール１を図３に示す貼り付け対象１００に貼り付ける場合には、まず、セパレータ８を剥離した後、図１に示す状態から上下を反転させ、接着層７を貼り付け対象１００に貼り付ける。
【００３３】
次に、転写紙２の上から水をかけて貼り付け用インク層３を転写紙２から分離させた後、転写紙２を剥離する。
【００３４】
なお、接着層７は、非貼り付け用インク層４上の領域におけるニス層６上には形成されていないため、図４に示すように、接着層７が形成されていない領域のニス層６は、貼り付け対象１００に貼り付けられずに剥がれる。このとき、非貼り付け用インク層４上にニス層６が形成されていることで、非貼り付け用インク層４のインクが粉々に砕け散らずニス層６と一体に分離する。
【００３５】
以上説明した本実施の形態では、転写シール１は、転写紙２と、貼り付け用インク層３と、非貼り付け用インク層４と、透明なニス層６と、接着層７と、透明なセパレータ８とを備える。貼り付け用インク層３及び非貼り付け用インク層４は、転写紙２の同一面上に位置する。ニス層６は、貼り付け用インク層３上及び非貼り付け用インク層４上に位置する。接着層７は、ニス層６の貼り付け用インク層３上の領域とニス層６の非貼り付け用インク層４上の領域とのうち貼り付け用インク層３上の領域のみにおいてニス層６上に位置する。セパレータ８は、接着層７上と、非貼り付け用インク層４上の領域におけるニス層６上とに位置する。
【００３６】
これにより、転写シール１の貼り付け前の状態で、転写紙２上に形成される非貼り付け用インク層４が、図２に示すようにセパレータ８側から見て、透明なセパレータ８及び透明なニス層６を介して視認可能となる。そのため、例えば、貼り付け用インク層３の絵柄を反転させた絵柄表示層や転写シール１の商品名やマークなどを表す非貼り付け用インク層４、すなわち転写シール１の情報を、印刷が困難なセパレータ８に直接印刷せずに転写紙２に印刷等により形成することで、セパレータ８側から視認可能となる。
【００３７】
また、転写シール１の貼り付け後には、非貼り付け用インク層４上の領域におけるニス層６上には接着層７が形成されていないため、非貼り付け用インク層４が貼り付け対象１００には貼り付けられない。更には、非貼り付け用インク層４上にニス層６が形成されていることで、非貼り付け用インク層４のインクが粉々に砕け散らずニス層６と一体に分離する。
【００３８】
よって、本実施の形態によれば、転写シール１の情報を転写シール１自体に対して簡単に付加及び除去することができる。
【００３９】
また、本実施の形態では、転写シール１は、メタリック層５を更に備える。このメタリック層５は、貼り付け用インク層３上と非貼り付け用インク層４上とのうち貼り付け用インク層３上のみにおいて貼り付け用インク層３とニス層６との間に位置する。また、非貼り付け用インク層４は、貼り付け用インク層３と絵柄及び色が同一で、セパレータ８側から見て転写シール１の貼り付け後の貼り付け用インク層３の絵柄を表すように貼り付け用インク層３の絵柄を反転させて形成された絵柄表示層を含む。
【００４０】
これにより、転写シール１の貼り付け前の状態でセパレータ８側から見てメタリック層５に隠れる貼り付け用インク層３の絵柄を、非貼り付け用インク層４において貼り付け対象１００に貼り付けられた後の向きで視認することができる。
【００４１】
また、本実施の形態では、非貼り付け用インク層４の絵柄表示層は、貼り付け用インク層３を縮小した大きさに形成されている。
【００４２】
これにより、転写紙２のうち貼り付け用インク層３の周囲におけるスペースを用いて転写シール１の貼り付け後の貼り付け用インク層３の絵柄を表す絵柄表示層を形成することができる。
【符号の説明】
【００４３】
１      転写シール
２      転写紙
３      貼り付け用インク層
４      非貼り付け用インク層
５      メタリック層
６      ニス層
７      接着層
８      セパレータ
１００      貼り付け対象
【図１】
0003227788.tif 000003
【図２】
0003227788.tif 000004
【図３】
0003227788.tif 000005
【図４】
0003227788.tif 000006
【図５】
0003227788.tif 000007